(57)【要約】  オンラインショップを管理するための方法およびシステムは、インスタントメッセージシステムを使用して、補助アカウントが１次アカウントユーザのオンラインショップにログインし、それを管理することを可能にする。１次アカウントユーザは、オンラインショップサーバにオンラインショップを作成し、それ自体をインスタントメッセージシステムの１つ以上の補助アカウントに関連づける。１次アカウントユーザが承認して補助アカウントがオンラインショップを管理することが可能になると、システムは、補助アカウントと１次アカウントとの間の承認関係を記録する。承認関係は、インスタントメッセージシステムに記録され得る。記録された承認関係に基づいて、システムは、承認された補助アカウントのユーザがインスタントメッセージシステムを介してオンラインショップシステムを管理することを可能にする。この目的のために機能するインスタントメッセージサーバも開示される。
2011526005.tif 000002
【特許請求の範囲】
【請求項１】
オンラインショップを管理するための方法であって、
１次アカウントの１次アカウントユーザのために、オンラインショップサーバ上にオンラインショップを作成するステップと、
インスタントメッセージシステムに補助アカウントを作成するステップと、
前記補助アカウントが前記オンラインショップを管理することを承認し、前記補助アカウントと前記１次アカウントとの間の承認関係を記録するステップと、
前記記録された承認関係に基づいて、前記補助アカウントが、前記インスタントメッセージシステムを介して前記オンラインショップ上の運営管理を実行することを可能にするステップと
を含む、方法。
【請求項２】
前記承認関係は、前記インスタントメッセージシステムに記録される、請求項１に記載の方法。
【請求項３】
前記補助アカウントが前記オンラインショップ上の運営管理を実行することを可能にするステップは、
前記補助アカウントのユーザが、前記インスタントメッセージシステムを介して前記オンラインショップにログインすることを可能にするステップを含む、請求項１に記載の方法。
【請求項４】
前記補助アカウントは、前記１次アカウントユーザにより前記インスタントメッセージシステムに作成される、請求項１に記載の方法。
【請求項５】
前記１次アカウントは、前記インスタントメッセージシステムに作成され、前記補助アカウントは、前記１次アカウントに関連して前記インスタントメッセージシステムに作成される、請求項１に記載の方法。
【請求項６】
前記インスタントメッセージシステムは、前記オンラインショップサーバに接続されたインスタントメッセージサーバを含む、請求項１に記載の方法。
【請求項７】
前記補助アカウントが前記オンラインショップを管理することを承認し、前記補助アカウントと前記１次アカウントとの間の前記承認関係を記録するステップは、
前記１次アカウントから承認検証の要求を前記インスタントメッセージシステムに送るステップであって、前記要求は、前記オンラインショップにログインし、かつ前記オンラインショップを管理するためのオンラインショップアカウント情報と、補助アカウント情報とを含む、ステップと、
前記１次アカウントのユーザにより提出された前記オンラインショップのアカウント情報を検証し、前記インスタントメッセージシステムによる検証の成功後、前記補助アカウントと前記１次アカウントとの間の前記承認関係を記録するステップと、を含む、請求項１に記載の方法。
【請求項８】
前記１次アカウントは、前記補助アカウントからの承認の要求を受け取ると、前記承認検証の要求を前記インスタントメッセージシステムに送る、請求項７に記載の方法。
【請求項９】
前記オンラインショップのアカウント情報を検証するステップは、
前記オンラインショップのアカウント情報を前記オンラインショップサーバに送るステップと、
前記オンラインショップアカウント情報を検証し、前記オンラインショップサーバによって、検証結果を前記インスタントメッセージに返すステップと、を含む、請求項７に記載の方法。
【請求項１０】
前記補助アカウントが、前記記録された承認関係に基づいて、前記オンラインショップ上の運営管理を実行することを可能にするステップは、
前記インスタントメッセージシステムで、前記オンラインショップにログインし、かつ、前記オンラインショップを管理するための補助アカウントの要求を受け取るステップと、
前記記録された承認関係に基づいて前記補助アカウントが前記オンラインショップを管理することを承認されているかどうかを前記インスタントメッセージシステムにより判断するステップと、
承認される場合、前記補助アカウントが前記インスタントメッセージを介して前記オンラインショップにログインすることを可能にし、承認されない場合、前記補助アカウントの前記要求を拒否するステップとを含む、請求項１に記載の方法。
【請求項１１】
前記インスタントメッセージシステムは、前記オンラインショップサーバから前記オンラインショップのログイン情報を受け取って、前記補助アカウントが前記オンラインショップにログインすることを可能にする、請求項１０に記載の方法。
【請求項１２】
前記オンラインショップのアカウント情報のうちの前記ログイン情報は、前記１次アカウントのアカウント名およびパスワードを含む、請求項１に記載の方法。
【請求項１３】
オンラインショップを管理するためのシステムであって、
１次アカウントユーザにより作成されるオンラインショップを格納するオンラインショップサーバと、
１次アカウントおよび補助アカウントを有するインスタントメッセージシステムであって、前記補助アカウントが前記オンラインショップを管理することに対して前記１次アカウントにより与えられる承認を受け取るため、前記補助アカウントと前記１次アカウントとの間の承認関係を記録するため、および前記記録された承認関係に従い前記承認された補助アカウントが前記オンラインショップを管理することを可能にするために適合されている、インスタントメッセージシステムと、
を備える、システム。
【請求項１４】
前記インスタントメッセージシステムは、
承認ユニットであって、前記補助アカウントのユーザが前記オンラインショップを管理することを前記１次アカウントユーザが承認するため、および前記補助アカウントと前記１次アカウントのユーザとの間の前記承認関係を記録するために使用される、承認ユニットと、
管理ユニットであって、前記記録された承認関係に従って、前記オンラインショップ上で前記承認された補助アカウントによる運営管理を行うために使用される、管理ユニットとを備える、請求項１３に記載のシステム。
【請求項１５】
前記承認ユニットは、
前記１次アカウントによる承認検証の要求を提出するための要求ユニットであって、前記要求は、前記オンラインショップのログイン情報と、承認を待機している前記補助アカウントの情報とを含む、要求ユニットと、
検証ユニットであって、前記１次アカウントユーザにより提出される前記ログイン情報を検証するため、および検証の成功後、前記補助アカウントと前記１次アカウントとの間の前記承認関係を記録するために使用される、検証ユニットとを備える、請求項１４に記載のシステム。
【請求項１６】
前記承認ユニットは、
前記補助アカウントから承認の要求を受け取るため、および前記１次アカウントによる前記承認検証の要求を提出するように前記要求ユニットを起動するための起動ユニットをさらに備える、請求項１５に記載のシステム。
【請求項１７】
前記検証ユニットは、前記１次アカウントユーザにより提出される前記オンラインショップの前記ログイン情報を前記オンラインショップサーバへ送り、前記オンラインショップサーバは、前記ログイン情報を検証して検証結果を前記検証ユニットへ返す、請求項１５に記載のシステム。
【請求項１８】
前記管理ユニットは、
ログイン管理および要求ユニットであって、前記オンラインショップにログインおよび管理するための前記補助アカウントの要求を送るために使用される、ログイン管理および要求ユニットと、
判断ユニットであって、前記記録された承認関係に基づいて前記オンラインショップを管理することを前記補助アカウントが承認されているかどうかを判断するため、および前記補助アカウントが承認される場合は前記オンラインにログインするため、または前記補助アカウントが承認されない場合は拒否するために、使用される、判断ユニットとを備える、請求項１４に記載のシステム。
【請求項１９】
前記承認された補助アカウントが、前記記録された承認関係に従って、前記オンラインショップを管理することを可能にすることは、
前記インスタントメッセージシステムにより、前記オンラインショップサーバから前記オンラインショップのログイン情報を取得することを含む、請求項１３に記載のシステム。
【請求項２０】
１次アカウントおよび補助アカウントをホストしているインスタントメッセージシステムであって、
承認ユニットであって、前記１次アカウントが、前記補助アカウントを承認して、前記１次アカウントにより所有されるオンラインショップを管理することを可能にするため、および前記補助アカウントと前記１次アカウントとの間の承認関係を記録するために使用される、承認ユニットと、
管理ユニットであって、前記承認された補助アカウントが、前記承認関係に従って前記オンラインショップを管理することを可能にするために使用される、管理ユニットと
を備える、インスタントメッセージシステム。
【発明の詳細な説明】
【技術分野】
【０００１】
本発明は、インスタントメッセージシステムを使用するオンラインショップの管理に関する。
【０００２】
＜関連出願＞
本出願は、２００８年１月２３日に出願された中国特許出願第２００８１０００２７９３．５号、名称「ＩＮＳＴＡＮＴ  ＭＥＳＳＡＧＩＮＧ  ＳＹＳＴＥＭ  ＡＮＤ  ＳＹＳＴＥＭ  ＦＯＲ  ＭＡＮＡＧＩＮＧ  ＯＮＬＩＮＥ  ＳＨＯＰ」の優先的利益を主張し、該中国特許は、参照によりその全体が本願に組み込まれる。
【背景技術】
【０００３】
本開示は、電子商取引技術の分野に関し、具体的には、オンラインショップを管理するための方法およびシステムに関する。
【０００４】
既存の電子商取引システムにおいては、ユーザは、インターネット上にショップを開き、登録したアカウントを介して、そのオンラインショップにログインし、そのオンラインショップを管理することができる。オンラインショップにログインし、かつオンラインショップを管理するためのこのアカウントを介して、ユーザは、購入者と通信するためにＡｌｉＷａｎｇＷａｎｇ等のインスタントメッセージシステム（ＩＭ）にログインし、かつ、対応するパスワードを備える１つ以上の補助アカウントをインスタントメッセージシステムに作成することができる。補助アカウントのユーザも、オンラインショップと取引を行う購入者と通信することができる。
【０００５】
ユーザがオンラインショップのアカウントを作成する場合、アカウントは、電子商取引サイトであるＴａｏＢａｏ．ｃｏｍでのサーバ等のオンラインショップサーバに保存される。ユーザが、ＴａｏＢａｏ．ｃｏｍと関連するＡｌｉＷａｎｇＷａｎｇ等の関連するインスタントメッセージサーバにログインすると、インスタントメッセージサーバは、ＴａｏＢａｏ．ｃｏｍのオンラインショップサーバに、ユーザのアカウント名およびパスワードを確認することを要求し、検証の成功後、ユーザがＡｌｉＷａｎｇＷａｎｇにログインすることを許可する。一方で、補助アカウントは、インスタントメッセージシステムのＡｌｉＷａｎｇＷａｎｇ上に作成され、ＡｌｉＷａｎｇＷａｎｇのＩＭサーバにのみ保存されるため、補助アカウントのユーザは、ＴａｏＢａｏ．ｃｏｍのオンラインショップサーバにログインすることは不可能である。
【０００６】
一般的に、アカウントＳから１つ以上の補助アカウントが作成される場合、アカウントＳは、「１次アカウント」と呼ばれ、補助アカウントは１次アカウントにサービスを提供することができる。しかしながら、これらの補助アカウントのユーザは、ＩＭだけにログインすることが可能であり、オンラインショップシステムにログインすることはできない。この結果、既存システムの補助アカウントのユーザは、１次アカウントユーザにより確立されるオンラインショップにログインして、それを管理することはできない。
【発明の概要】
【０００７】
本開示は、オンラインショップを管理して、インスタントメッセージシステムの補助アカウントのユーザが１次アカウントユーザにより作成されたオンラインショップにログインし、それを管理することを可能にするインスタントメッセージシステム、ならびに方法およびシステムを提供する。
【０００８】
本開示の一態様は、オンラインショップを管理するための方法を提供する。オンラインショップは、１次アカウントの１次アカウントユーザに関連して、オンラインショップサーバ上に作成される。１次アカウントに関連する補助アカウントもインスタントメッセージシステムに作成される。当該方法は、１次アカウントのユーザが、補助アカウントがオンラインショップを管理することを承認することを可能にし、補助アカウントと１次アカウントとの間の承認関係を記録する。当該方法は、次に、承認された補助アカウントが、記録された承認関係に基づいて、インスタントメッセージシステムを介してオンラインショップの運営管理を実行することを可能にする。
【０００９】
一実施形態においては、承認関係はインスタントメッセージシステムに記録される。一実施形態においては、１次アカウントもインスタントメッセージシステムに作成され、補助アカウントは、１次アカウントに関連してインスタントメッセージシステムに作成される。補助アカウントは、１次アカウントユーザによりインスタントメッセージシステムに作成され得る。
【００１０】
本開示の別の態様は、１次アカウントユーザにより作成されたオンラインショップをホストするオンラインショップサーバを含むオンラインショップを管理するためのシステム、ならびに１次アカウントおよび補助アカウントを有するインスタントメッセージシステムを提供する。インスタントメッセージシステムは、補助アカウントがオンラインショップを管理することに対して１次アカウントにより与えられる承認を受け取るため、補助アカウントと１次アカウントの間の承認関係を記録するため、および承認された補助アカウントが、記録された承認関係に従って、オンラインショップを管理することを可能にするために適合される。
【００１１】
本開示の別の態様は、承認ユニットと管理ユニットとを含む、インスタントメッセージシステムである。承認ユニットは、１次アカウントが、１次アカウントにより所有されるオンラインショップを補助アカウントが管理することを承認することを可能にするため、および補助アカウントと１次アカウントユーザとの間の承認関係を記録するために使用される。管理ユニットは、承認された補助アカウントが、承認関係に従って、オンラインショップを管理することを可能にするために使用される。
【００１２】
本開示の一部の例示的な実施形態においては、１次アカウントユーザは、オンラインショップサーバ上にオンラインショップを作成し、さらに、インスタントメッセージシステムに１つ以上の補助アカウントを作成する。１次アカウントユーザは、補助アカウントがオンラインショップを管理することを承認する。補助アカウントと１次アカウントとの間の承認関係は、インスタントメッセージシステムに記録される。補助アカウントは、次に、インスタントメッセージシステムに記録された承認関係に基づいて、インスタントメッセージシステムを介してオンラインショップの運営管理を実施する。この技術的スキームを使用して、補助アカウントは、インスタントメッセージシステムにログインして購入者と通信することが可能なだけでなく、１次アカウントユーザの代わりに、１次アカウントユーザによりオンラインショップサーバ上に作成されたオンラインショップを管理することも可能であり、したがって、１次アカウントユーザの作業負荷を軽減する。
【００１３】
本概要は、以下の発明を実施するための形態においてさらに説明される概念のいくつかを、簡素化された形式で導入するために提供される。本概要は、特許請求対象の主要機能または重要機能を特定することを目的とするものでも、特許請求対象の範囲を決定する上での支援として使用されることを目的とするものでもない。
【図面の簡単な説明】
【００１４】
発明を実施するための形態は、添付の図面を参照して説明される。異なる図面における同一の参照番号の使用は、類似または同一の項目を示す。
【００１５】
【図１】本開示の例示的な実施形態に従い、１次アカウントユーザのオンラインショップを管理することを補助アカウントが承認される流れを示す図である。
【図２】本開示の例示的な実施形態に従い、承認された補助アカウントが１次アカウントユーザのオンラインショップにログインし、それを管理する流れを示す図である。
【図３】オンラインショップを管理するための例示的なシステムの模式図である。
【図４】本開示の方法を実現するための例示的な環境を示す図である。
【発明を実施するための形態】
【００１６】
本開示は、オンラインショップを管理して、インスタントメッセージシステムの補助アカウントのユーザが１次アカウントユーザにより作成されたオンラインショップにログインし、それを管理することを可能にするためのインスタントメッセージシステム、ならびに方法およびシステムを提供する。１次アカウントユーザは、多様な販売者の商品を扱うオンラインショップの所有者であり得、各販売者は、１次アカウントに関連して作成される補助アカウントのユーザであり得る。
【００１７】
本開示の例示的な実施形態において、１次アカウントユーザは、例えば、ＡｌｉＷａｎｇＷａｎｇ等のＩＭシステムにログインすることができる。同時に、同一のユーザがオンラインショップ（例えば、ＴａｏＢａｏ．ｃｏｍ上のＴａｏＢａｏショップ）を作成することを申し込んでいた場合、１次アカウントユーザはオンラインショップにログインしてオンラインショップを管理することもできる。
【００１８】
一般的に、アカウントＳから１つ以上の補助アカウント、Ｓ１、Ｓ２、・・・Ｓｎが作成される場合、アカウントＳは１次アカウントになる。補助アカウントのユーザは、ＩＭシステムにログインして、１次アカウントユーザにサービスを提供することができる。この意味において、１次アカウントのユーザは、「ボス」のように機能し、一方で、補助アカウントは「アシスタント」の役割を果たす。補助アカウントは、１次アカウントユーザにより作成され得るが、補助アカウントのユーザによる、またはＩＭシステムによる等の様々な方式においても作成され得る。しかしながら、補助アカウントが１次アカウントにサービスを提供するためには、補助アカウントは、一般的に、１次アカウントに関連づけられる必要がある。
【００１９】
本開示のシステムおよび方法は、補助アカウントのユーザ（例えば、販売者）が、１次アカウントユーザのオンラインショップを管理する必要性に応えて提供される。例えば、補助アカウントのユーザは、商品の価格および／もしくは商品の出荷費用を変更、または商品の評価を提供することが必要な場合がある。
【００２０】
実際には、ユーザは、まず、オンラインショップサーバ上にオンラインショップを作成する。ユーザがオンラインショップを管理して、付随する業務を行うために、オンラインショップに接続されたインスタントメッセージシステム上には１次アカウントも作成される。ユーザは、オンラインショップに関連する、１次アカウントの１次アカウントユーザになる。１次アカウントに関連する１つ以上の補助アカウントが、インスタントメッセージシステムに作成され得る。この時点で、１次アカウントユーザと補助アカウントのユーザの両方は、オンラインショップの顧客（例えば、購入者）と通信することができるが、１次アカウントユーザだけが、１次アカウントを介して、オンラインショップにログインして、それを管理することが可能である。
【００２１】
次に、１次アカウントユーザは、補助アカウントに対して、そのユーザがオンラインショップを管理することを承認する。承認と管理の両方は、インスタントメッセージシステムを介して実行され得る。システムは、補助アカウントと１次アカウントとの間の承認関係を記録し、記録された承認関係に基づいて、補助アカウントのユーザがオンラインショップの運営管理を行うことを可能にする。一実施形態においては、補助アカウントのユーザは、インスタントメッセージシステムを介してオンラインショップの運営管理を行い、インスタントメッセージシステムは承認関係を格納する。承認関係は、オンラインショップサーバ、または別のサーバまたはストレージシステム等のシステムの他の部分にも格納され得、必要な場合にインスタントメッセージシステムへ伝えられ得る。
【００２２】
添付の図面と組み合わせて、本開示におけるオンラインショップを管理するための例示的な方法を以下に説明する。この説明において、プロセスが説明される順序は、限定として解釈されることを意図せず、また、任意の数の説明されるプロセスのブロックは、当該方法、または代替の方法を実現するように、任意の順序で組み合わされ得る。
【００２３】
図１は、本開示の例示的な実施形態に従い、１次アカウントユーザのオンラインショップを管理することを補助アカウントがどのように承認されるかを示す。図１に示されるように、１次アカウントユーザのオンラインショップを補助アカウントが管理することを承認するための方法の例示的な実施形態が以下に示される。
【００２４】
Ｓ１０１で、補助アカウントのユーザは、ＩＭシステムのインスタントメッセージ（ＩＭ）サーバの端末を介して、承認の要求を１次アカウントへ提出する。要求は、補助アカウントの情報（例えば、補助アカウントのアカウント名および／またはパスワード）を含む。
【００２５】
Ｓ１０２で、補助アカウントからの要求に基づいて、１次アカウントユーザは、ＩＭ端末を介して承認検証の要求をＩＭサーバに提出する。要求は、オンラインショップのログイン情報と補助アカウントの情報とを含む。オンラインショップのログイン情報は、オンラインショップへのログインおよび、その管理をするために１次アカウントユーザにより使用されるアカウント名およびパスワードを含むことができる。
【００２６】
Ｓ１０３で、ＩＭサーバは、１次アカウントユーザにより提出されたログイン情報を、オンラインショップが作成されているオンラインショップサーバへ検証のために送る。
【００２７】
Ｓ１０４で、オンラインショップサーバに格納された１次アカウントユーザのログイン情報に基づいて、オンラインショップサーバは、ＩＭサーバを介して１次アカウントユーザにより提出されたログイン情報が正しいかどうかを検証する。検証に成功した場合、プロセスはＳ１０５に続く。そうでなければ、プロセスはＳ１０７へ進む。
【００２８】
Ｓ１０５で、ＩＭサーバは、補助アカウントと１次アカウントとの承認関係を記録する。具体的には、ＩＭサーバは、補助アカウントが、１次アカウントユーザのオンラインショップにログインするために承認されたアカウントであると見なす。
【００２９】
Ｓ１０６で、ＩＭサーバは、１次アカウントユーザおよび承認されている補助アカウントに、それぞれのＩＭ端末を介して、承認が成功したことを示すメッセージを返す。
【００３０】
Ｓ１０７で、ＩＭサーバは、１次アカウントユーザおよび承認を待機している補助アカウントに、それぞれのＩＭ端末を介して、承認が成功しなかったことを示すメッセージを返す。
【００３１】
特定の補助アカウントに与えられる承認は、１次アカウントユーザの権限と同一の権限を有する無制限の承認、または１次アカウントユーザにより定義される制限された承認のいずれかであり得ることに留意されたい。例えば、無制限の承認の場合、１次アカウントユーザがオンラインショップにログオンするために使用される同一のログイン情報（例えば、アカウント名およびパスワード）が、補助アカウントのユーザに与えられてもよい。代替として、オンラインショップの運営を制限する場合、制限されたアカウントのログイン情報が、補助アカウントのユーザに与えられてもよい。このような制限された承認は、各補助アカウントに対してカスタマイズされてもよく、例えば、オンラインショップを利用している、特定の区分の商品の販売者に対応する場合がある。以下では、一般的な承認が与えられるという想定で、プロセスを詳細に説明する。しかし、当該説明は、制限された承認またはカスタマイズされた承認が与えられた場合の用途に等しく適用可能である。
【００３２】
図２は、承認された補助アカウントが、どのように１次アカウントユーザのオンラインショップにログインし、それを管理するかを示す流れ図である。具体的には、補助アカウントに対する承認を確立後、プロセスは次のように進むことができる。
【００３３】
Ｓ２０１で、補助アカウントのユーザは、１次アカウントユーザのオンラインショップにログインし、それを管理するための要求をＩＭサーバに提出する。
【００３４】
Ｓ２０２で、記録された承認関係に基づき、ＩＭサーバは、補助アカウント（または補助アカウントのユーザ）がオンラインショップを管理することを１次アカウントユーザにより承認されているかどうかを判断する。承認された場合、プロセスはＳ２０３に続く。そうでなければ、プロセスはＳ２０８へ進む。
【００３５】
Ｓ２０３で、ＩＭサーバは、１次アカウントユーザのアカウント情報（例えば、アカウント番号またはアカウント名）を補助アカウントのユーザに送る。
【００３６】
Ｓ２０４で、補助アカウントのユーザは、１次アカウントユーザのパスワードの要求をＩＭサーバへ送る。１次アカウントユーザのアカウント情報を用いて、補助アカウントのユーザは、１次アカウントユーザとして動作することができ、１次アカウントを介して要求を送る。好ましい実施形態においては、これは、ＩＭサーバを介して実行される。
【００３７】
Ｓ２０５で、ＩＭサーバは、オンラインショップサーバから１次アカウントユーザのパスワードを取得し、パスワードを補助アカウントへ返す。パスワードは、補助アカウントへ明示的に返されてもよく、または、現在のログインに対して、システムによってのみ認識される暗号化された形式で補助アカウントに与えられてもよい。後者の場合、ログオンのプロセスは、承認条件を満たした後、システムにより自動的に処理され得、実際のログイン情報は補助アカウントのユーザには知らされない。
【００３８】
Ｓ２０６で、補助アカウントのユーザは、１次アカウントユーザのアカウント情報およびパスワードを使用して、１次アカウントユーザのオンラインショップにログインする。好ましい実施形態においては、これは、補助アカウントのユーザが、ＩＭを離れてオンラインショップサーバのクライアント側を介してオンラインショップに個別にログインすることなく、ＩＭサーバのクライアント側のユーザインターフェース上にとどまっている間に、ＩＭサーバを介して実行される。
【００３９】
Ｓ２０７で、補助アカウントはオンラインショップを管理する。
【００４０】
Ｓ２０８で、ＩＭサーバは、１次アカウントユーザのオンラインショップにログインするための補助アカウントの要求を拒否する。
【００４１】
Ｓ２０３、Ｓ２０４およびＳ２０５のステップは、オンラインショップの必要なログイン情報を補助アカウントのユーザに提供するために使用されることに留意されたい。上記の手順は、これを実現するための実施例に過ぎない。他の方法を使用して、既存の承認関係に基づいて同じ結果を実現することができる。例えば、ＩＭサーバは、補助アカウントと１次アカウントとの間の承認関係を確立する際（例えば、図１のＳ１０２）、１次アカウントユーザにより提供されるオンラインショップのログイン情報を保持することができる。この場合、ＩＭサーバは、オンラインショップのサーバにさらに要求することなく、保持したオンラインショップログイン情報を補助アカウントのユーザに提供することができる。前述のように、オンラインショップへの無制限のログインのために１次アカウントユーザにより使用される同一のログイン情報が、補助アカウントのユーザに提供され得るが、他の任意の所望の形式の制限またはカスタマイズされた承認も使用され得る。
【００４２】
開示されたオンラインショップ管理の例示的なシステムを以下に説明する。
【００４３】
図３は、本開示に従い、オンラインショップを管理するための例示的なシステムの模式図である。図３に示されるように、オンラインショップを管理するためのシステム３００は、インスタントメッセージシステム３０１とオンラインショップサーバ３０２とを含む。オンラインショップサーバ３０２は、１次アカウントユーザにより作成されるオンラインショップを格納するために使用される。インスタントメッセージシステム３０１は、１次アカウントと、関連の補助アカウント等の複数のユーザアカウントとを含み、ユーザアカウント間のインスタントメッセージの通信を助ける。
【００４４】
インスタントメッセージシステム３０１は、さらに、１次アカウントにより所有されるオンラインショップを補助アカウントが管理することに対して、１次アカウントにより与えられる承認を受け取るため、補助アカウントと１次アカウントの間の承認関係を記録するため、および記録された承認関係に従って、承認された補助アカウントがオンラインショップを管理することを可能にするために使用される。
【００４５】
インスタントメッセージシステム３０１は、補助アカウントのユーザがオンラインショップを管理することを１次アカウントが承認するため、および補助アカウントと１次アカウントユーザとの間の承認関係を記録するために使用される承認ユニット３２１と、記録された承認関係に従い、承認された補助アカウントによるオンラインショップ上の運営管理を実施するために使用される管理ユニット３２２とを含むことができることが好ましい。
【００４６】
承認ユニット３２１は、起動ユニット３２１１と、要求ユニット３２１２と、検証ユニット３２１３とを含むことができることが好ましい。起動ユニット３２１１は、補助アカウントから承認の要求を受け取るため、および要求ユニット３２１２を起動して、１次アカウントによる承認検証の要求を提出させるためのものである。要求ユニット３２１２は、起動ユニット３２１１による起動後、１次アカウントによる承認検証の要求を提出するために使用される。要求は、オンラインショップのログイン情報と、承認を待機している補助アカウントの情報とを含む。検証ユニット３２１３は、１次アカウントユーザにより提出されたログイン情報を検証するため、および検証の成功後、補助アカウントと１次アカウントとの間の承認関係を記録するために使用される。
【００４７】
一実施形態においては、検証ユニット３２１３は、検証のために、１次アカウントユーザにより提出されたログイン情報をオンラインショップサーバ３０２に送り、オンラインショップサーバ３０２から返される検証結果を受け取る。オンラインショップサーバ３０２は、そこに格納されたオンラインショップのログイン情報と照合することによって、１次アカウントユーザにより提出されたログイン情報を検証し、検証結果を検証ユニット３２１３に返す。
【００４８】
一実施形態においては、管理ユニット３２２は、オンラインショップにログインし、それを管理するための補助アカウントの要求を送るために使用されるログイン管理および要求ユニット３２２１と、記録された承認関係に基づいて、補助アカウントがオンラインショップを管理するために承認されているかどうかを判断するため、および補助アカウントが承認されている場合にオンラインショップのログイン情報を使用してオンラインショップにログインするため、または補助アカウントが承認されていない場合には要求を拒否するために使用される判断ユニット３２２２とを含む。
【００４９】
一実施形態においては、判断ユニット３２２２は、補助アカウントのユーザがオンラインショップにログインすることを可能にするために、オンラインショップサーバ３０２から１次アカウントユーザのパスワードを取得する。
【００５０】
一実施形態においては、起動ユニット３２１１と、要求ユニット３２１２と、ログイン管理および要求ユニット３２２１とは、インスタントメッセージシステム３０１のクライアント側に存在し、一方で、検証ユニット３２１３および判断ユニット３２２２は、インスタントメッセージシステム３０１のサーバ側に所在する。
【００５１】
開示された方法およびシステムは、ソフトウェアまたはハードウェアのいずれかのみを使用して実現され得るが、ソフトウェアとハードウェアの組み合わせを使用して実現されることが好ましい。ソフトウェアは、ストレージ媒体に格納され得る。ソフトウェアは、本開示の例示的な実施形態において説明された方法を実行するように、１つ以上のコンピュータ装置（サーバ等）に対する命令を含むことができる。
【００５２】
図４は、本開示の方法を実現するための例示的な環境を示す。示された環境４００において、一部のコンポーネントは、クライアント側に存在し、他のコンポーネントはサーバ側に存在する。しかしながら、これらのコンポーネントは他の複数の場所に存在してもよい。さらに、示されたコンポーネントのうち２つ以上は、単一の場所で単一のコンポーネントを形成するように組み合わせることができる。
【００５３】
インスタントメッセージサーバ４０１、オンラインショップサーバ４０２、および任意選択のサーバ４０３は、サーバ側にあり、ネットワーク４９０を介して、４４１、４４２および４４３等のクライアント側のコンピュータ装置（クライアント端末）に接続される。一実施形態においては、インスタントメッセージサーバ４０１およびオンラインショップサーバ４０２は、各々、サーバコンピュータで実現され、一方で、クライアント側のコンピュータ装置４４１、４４２および４４３は各々、電話機、コンピュータ、または携帯用デバイスまたは電話機であり得、ユーザの通信端末として使用される。
【００５４】
示されているように、インスタントメッセージサーバ４０１は、プロセッサ４１０、Ｉ／Ｏデバイス４２０、コンピュータで読取可能な媒体４３０、およびネットワークインターフェース（非表示）を含むサーバで実現される。コンピュータで読取可能な媒体４３０は、アプリケーションプログラムのモジュール４３２およびデータ４３３（ユーザのアカウント情報および承認関係等）を格納する。代替として、データ４３４のうちの少なくとも一部は、オンラインショップサーバ４０２および／または任意選択のサーバ４０３に格納されてもよい。アプリケーションプログラムのモジュール４３２は、プロセッサ４１０により実行されると、本明細書に説明されたプロセスの動作をプロセッサ４１０に実行させる、命令を含む。
【００５５】
オンラインショップサーバ４０２および任意選択のサーバ４０３は各々、独自のプロセッサ、Ｉ／Ｏデバイス、ネットワークインターフェース、およびアプリケーションプログラムのモジュールを格納するコンピュータで読取可能な媒体を備えたサーバで実現され得る。オンラインショップサーバ４０２、インスタントメッセージサーバ４０１および任意選択のサーバ４０３のサーバは、本明細書に説明するように、オンラインショップ管理のために協働する。インスタントメッセージサーバ４０１、オンラインショップサーバ４０２および任意選択のサーバ４０３は、各々任意の適切なコンピュータ装置で実現され得、各々サーバ群等複数のサーバで実現され得ることに留意されたい。一方で、これらのシステムのいずれもサーバまたはサーバ群に組み合わせられ得る。例えば、インスタントメッセージサーバ４０１およびオンラインショップサーバ４０２は、１つ以上のサーバで実現される統合システムとして組み合わされ得、どちらか、または両方がさらに任意選択のサーバ４０３と組み合わされ得る。これらのシステムのうちいずれも、同じルートドメインの下のＬＡＮまたはネットワークを形成するように接続され得る。一実施形態においては、インスタントメッセージサーバ４０１およびオンラインショップサーバ４０２は、ネットワーク４９０を介してインスタントメッセージを使用する複数のユーザに、集中化オンラインショップ管理サービスを提供する。
【００５６】
コンピュータで読取可能な媒体は、コンピュータデータを格納するための任意の適切なストレージまたは記憶装置であり得ることが理解される。このようなストレージまたは記憶装置は、ハードディスク、フラッシュメモリデバイス、光学式データストレージ、およびフロッピーディスクを含むがこれらに限定されない。さらに、コンピュータが実行可能な命令を包含するコンピュータで読取可能な媒体は、ローカルシステムの(１つまたは複数の)コンポーネント、または複数のリモートシステムのネットワーク上に分散されたコンポーネントから構成され得る。コンピュータが実行可能な命令のデータは、有形の物理的記憶装置において送達されるか、または電子的に伝送される、かのどちらかであり得る。
【００５７】
要約すると、本開示の例示的な実施形態は、インスタントメッセージシステムを介して１次アカウントユーザのオンラインショップを管理することを１つ以上の補助アカウントのユーザに承認することにより、承認された補助アカウントのユーザが、オンラインショップを管理することを可能にする。オンラインショップサーバを介してオンラインショップに直接ログインすることができる１次アカウントユーザとは異なり、承認された補助アカウントのユーザは、インスタントメッセージサーバを介してオンラインショップにログインして、管理運営を実施することができ、オンラインショップサーバを介してオンラインショップに直接ログインする能力を有することを要求されない。さらに、承認は、１次アカウントユーザの承認に等しい完全な承認、またはカスタマイズまたは制限された承認のどちらかであり得る。オンラインショップへのログインは、承認された補助アカウントのユーザに提供される明示的なログイン情報に基づくか、または、承認の条件が満たされた後、オンラインショップに自動的にログインすることにより、知らされない方式でインスタントメッセージシステムにより処理されるか、のどちらかであり得る。
【００５８】
開示された方法およびシステムを使用して、補助アカウントのユーザは、インスタントメッセージシステムにログインして購入者と通信できるだけでなく、１次アカウントユーザの代わりに１次アカウントユーザのオンラインショップを管理することも可能になり、したがって、１次アカウントのユーザの作業負荷を軽減する。
【００５９】
本明細書において述べられた潜在的な利益および利点は、添付の請求項の範囲に対する制限または制約として解釈されないことを理解されたい。
【００６０】
請求対象は、構造的特長および／または方法論的動作に特有の言語において説明されてきたが、添付の請求項において定義される請求対象は、必ずしも説明された特定の特長または動作に限定されないことを理解されたい。そうではなく、特定の特長および動作は、請求項を実施する例示的な形態として開示される。
【図１】
2011526005.tif 000003
【図２】
2011526005.tif 000004
【図３】
2011526005.tif 000005
【図４】
2011526005.tif 000006
【国際調査報告】
2011526005.tif 000007